(57)【要約】【課題】汎用のプラグ及びレセプタクルを特別な加工なしに用いて、プラグをレセプタクルに挿入したときに容易かつ確実にロックする。【解決手段】プラグ１０は柱面のシェル１１を備え、シェル１１は柱面上に孔部１２及び凹部１３を有する。レセプタクル２０は柱面のシェル２１を備え、シェル２１は、柱面の内側に向かう第１の凸部及び柱面の外側に向かう第２の凸部を含むバネ２２，２３を有する。プラグ１０がレセプタクル２０に挿入されたとき、第１の凸部は孔部１２及び凹部１３に嵌合する。第１の凸部がシェル１１の柱面の孔部１２及び凹部１３以外の部分に対向しているとき、第２の凸部はシェル２１の柱面の外側に突出する。コネクタのロック装置は、シェル２１の柱面を外側から包囲するロック機構２７を備え、ロック機構２７は、その内側が第２の凸部に対向しているとき、第２の凸部がシェル２１の柱面の外側に突出することを阻止する。【選択図】図１
2016134305.tif 000002
【特許請求の範囲】
【請求項１】
プラグ及びレセプタクルを含むコネクタのロック装置において、
上記プラグは、所定方向に延在する第１の柱面を有する第１のシェルを備え、上記第１のシェルは上記第１の柱面上に少なくとも１つの嵌合部を有し、上記少なくとも１つの嵌合部は孔部及び／又は凹部を含み、
上記レセプタクルは、所定方向に延在する第２の柱面を有する第２のシェルを備え、上記第２のシェルは、上記第２の柱面の内側に向かう第１の凸部及び上記第２の柱面の外側に向かう第２の凸部を含む少なくとも１つの可撓部分を有し、上記第１及び第２の凸部は上記第２の柱面に垂直な方向に移動可能であり、
上記第２のシェルは、上記第１の柱面の外側と上記第２の柱面の内側が互いに対向するように上記第１のシェルを収容可能であり、上記プラグは、上記第１及び第２の柱面が延在する方向で上記レセプタクルに挿抜され、
上記プラグが上記レセプタクルに挿入されたとき、上記少なくとも１つの可撓部分の上記第１の凸部は上記少なくとも１つの嵌合部にそれぞれ嵌合し、
上記第１の凸部が上記第１の柱面の上記少なくとも１つの嵌合部以外の部分に対向しているとき、上記第２の凸部は上記第２の柱面の外側に突出し、
上記コネクタのロック装置は、上記第２の柱面を外側から包囲し、上記第２の柱面が延在する方向に移動可能なロック機構を備え、上記ロック機構は、当該ロック機構の内側が上記少なくとも１つの可撓部分の上記第２の凸部に対向しているとき、上記第２の凸部が上記第２の柱面の外側に突出することを阻止することを特徴とするコネクタのロック装置。
【請求項２】
上記コネクタのロック装置は、
上記第２の柱面が延在する方向に上記ロック機構を移動させる駆動装置と、
上記駆動装置を制御する制御回路とを備えることを特徴とする請求項１記載のコネクタのロック装置。
【請求項３】
上記コネクタはＵＳＢ標準Ａコネクタであることを特徴とする請求項１又は２記載のコネクタのロック装置。
【請求項４】
上記レセプタクルと、
請求項１〜３のうちの１つに記載のコネクタのロック装置とを備えることを特徴とするコネクタ。
【請求項５】
請求項４記載のコネクタと、
上記コネクタに接続されたインターフェース回路とを備えることを特徴とする電子機器。
【発明の詳細な説明】
【技術分野】
【０００１】
本発明は、コネクタのロック装置に関する。本発明はまた、そのようなロック装置を備えたコネクタに関する。本発明はまた、そのようなコネクタを備えた電子機器に関する。
【背景技術】
【０００２】
パーソナルコンピュータなどの電子機器は、外部機器と接続するために、ＵＳＢ（Universal Serial Bus）などのさまざまなインターフェースのコネクタを有する。電子機器及び外部機器の一方がコネクタのレセプタクルを備え、他方がコネクタのプラグを備えてもよい。代替として、電子機器及び外部機器の両方がレセプタクルを備え、電子機器及び外部機器は、両端にプラグを備えたケーブルを介して接続されてもよい。
【０００３】
使用される電子機器及び外部機器によっては、又はそれらの使用目的によっては、使用途中にプラグが抜けると、データ破損が発生したり、電子機器及び外部機器の損壊が発生したりする場合がある。従来技術のコネクタでは、レセプタクルのシールド接触片がプラグのシェル部に設けられた開口部に嵌まることである程度の保持力を持たせている。しかしながら、プラグがレセプタクルから抜けなくすることを目的としていないので、明確にプラグを抜こうとする場合はプラグが抜けてしまう。そのため、電子機器及び外部機器の使用中にプラグがレセプタクルから抜けないようにロックするロック装置が必要になる。
【０００４】
例えば、特許文献１〜２２において、プラグをレセプタクルに挿入したときにロックするロック装置が提案されている。
【０００５】
特許文献１の発明は、プラグの側面にロック用の爪を設けて、レセプタクルのプラグ挿入時の爪の位置に設けた開口部に引っ掛ける。機構上、専用のプラグとレセプタクルの組み合わせで使用する必要がある。
【０００６】
特許文献２〜６の発明は、レセプタクルからプラグ側の穴に爪状の部品で閂を掛ける。機構上、レセプタクルのシェルのシールド接触片の代わりに開口部を設ける必要がある。
【０００７】
特許文献７の発明は、プラグ下部に隙間埋め材を圧着することにより抜けにくくする。プラグの抜けは発生し難くなるが、ロック機構のように抜けなくするものではない。
【０００８】
特許文献８の発明は、プラグとレセプタクルの接合部に挿入する爪部品である。プラグの抜けは発生し難くなるが、ロック機構のように抜けなくするものではない。
【０００９】
特許文献９の発明は、プラグ側に手動操作のロック機構を設ける。
【００１０】
特許文献１０〜１６の発明は、プラグを保持するキャップ又はカバーをレセプタクル開口部に追加する。
【００１１】
特許文献１７の発明は、専用のプラグとレセプタクル及び機構を有するコネクタカバーの組み合わせにより圧着式のロックを行う。
【００１２】
特許文献１８の発明は、ケーブルをクランク状に固定することでケーブルの引きによる脱落を防止する。
【００１３】
特許文献１９〜２０の発明は、プラグをカム機構操作により広げることでレセプタクルの内面に圧着させてロックを行う。プラグの抜けは発生し難くなるが、抜けなくするものではない。
【００１４】
特許文献２１の発明は、専用のレセプタ開口部の張り出しにフックを掛けてロックを行う。
【００１５】
特許文献２２の発明は、プラグに保持具の操作を行うクランク上のハンドル部とヘラ状の末端を持つ針金状の保持具を装着し、ハンドルを回すことでレセプタ内にプラグの口金と共に挿入されたヘラ状部を回転させて厚みを変化させることで圧着させる。プラグの抜けは発生し難くなるが、抜けなくするものではない。
【発明の概要】
【発明が解決しようとする課題】
【００１６】
特許文献１〜２２の発明では、以下のいずれかの問題が存在する。
・専用のプラグ及びレセプタクルの組み合わせを必要とするので、汎用性に乏しい。
・既存のコネクタ部品を流用できないので、ロック機構を既存の機器に取り付けることが困難である。
・プラグがレセプタクルから抜けにくくする手段であって、抜けなくする手段ではない。
・レセプタクルが取り付けられている機器のレセプタクル用開口部周辺にプラグを固定するカバーを取り付けるので、プラグの取り外しが困難、又は何らかの追加操作又は作業が必要になる。
【００１７】
本発明の目的は、汎用のプラグ及びレセプタクルを特別な加工なしに用いて、プラグをレセプタクルに挿入したときに容易かつ確実にロックするロック装置を提供することにある。
【課題を解決するための手段】
【００１８】
本発明の態様に係るコネクタのロック装置によれば、
プラグ及びレセプタクルを含むコネクタのロック装置において、
上記プラグは、所定方向に延在する第１の柱面を有する第１のシェルを備え、上記第１のシェルは上記第１の柱面上に少なくとも１つの嵌合部を有し、上記少なくとも１つの嵌合部は孔部及び／又は凹部を含み、
上記レセプタクルは、所定方向に延在する第２の柱面を有する第２のシェルを備え、上記第２のシェルは、上記第２の柱面の内側に向かう第１の凸部及び上記第２の柱面の外側に向かう第２の凸部を含む少なくとも１つの可撓部分を有し、上記第１及び第２の凸部は上記第２の柱面に垂直な方向に移動可能であり、
上記第２のシェルは、上記第１の柱面の外側と上記第２の柱面の内側が互いに対向するように上記第１のシェルを収容可能であり、上記プラグは、上記第１及び第２の柱面が延在する方向で上記レセプタクルに挿抜され、
上記プラグが上記レセプタクルに挿入されたとき、上記少なくとも１つの可撓部分の上記第１の凸部は上記少なくとも１つの嵌合部にそれぞれ嵌合し、
上記第１の凸部が上記第１の柱面の上記少なくとも１つの嵌合部以外の部分に対向しているとき、上記第２の凸部は上記第２の柱面の外側に突出し、
上記コネクタのロック装置は、上記第２の柱面を外側から包囲し、上記第２の柱面が延在する方向に移動可能なロック機構を備え、上記ロック機構は、当該ロック機構の内側が上記少なくとも１つの可撓部分の上記第２の凸部に対向しているとき、上記第２の凸部が上記第２の柱面の外側に突出することを阻止することを特徴とする。
【発明の効果】
【００１９】
本発明によれば、汎用のプラグ及びレセプタクルを特別な加工なしに用いて、プラグをレセプタクルに挿入したときに容易かつ確実にロックするロック装置を提供することができる。
【図面の簡単な説明】
【００２０】
【図１】本発明の実施形態に係るロック装置が付加されたレセプタクル２０の構成を示し、ロック装置の解錠状態を示す斜視図である。
【図２】図１のレセプタクル２０において、ロック装置の施錠状態を示す斜視図である。
【図３】図１のレセプタクル２０において、ロック装置の解錠状態を示す側面図である。
【図４】図１のレセプタクル２０において、ロック装置の施錠状態を示す側面図である。
【図５】図１のレセプタクル２０にプラグ１０が挿入されたときの、ロック装置の施錠状態を示す側面図である。
【図６】図１の制御回路３０によって実行される施錠処理を示すフローチャートである。
【図７】図１の制御回路３０によって実行される解錠処理を示すフローチャートである。
【発明を実施するための形態】
【００２１】
以下、図面を参照して、本発明の実施形態に係るコネクタのロック装置について説明する。説明のために、図１〜図５のＸＹＺ座標を参照する。
【００２２】
図１は、本発明の実施形態に係るロック装置が付加されたレセプタクル２０の構成を示し、ロック装置の解錠状態を示す斜視図である。図１はさらに、レセプタクル２０に挿入されるプラグ１０を示す。図２は、図１のレセプタクル２０において、ロック装置の施錠状態を示す斜視図である。図３は、図１のレセプタクル２０において、ロック装置の解錠状態を示す側面図である。図４は、図１のレセプタクル２０において、ロック装置の施錠状態を示す側面図である。図５は、図１のレセプタクル２０にプラグ１０が挿入されたときの、ロック装置の施錠状態を示す側面図である。
【００２３】
図１のプラグ１０及びレセプタクル２０は、ＵＳＢ標準Ａコネクタの汎用のプラグ及びレセプタクルである。プラグ１０は、所定方向に延在する柱面（第１の柱面）を有するシェル（第１のシェル）１１を備える。シェル１１はその柱面上に少なくとも１つの嵌合部を有する。少なくとも１つの嵌合部は孔部及び／又は凹部を含む。レセプタクル２０は、所定方向に延在する柱面（第２の柱面）を有するシェル（第２のシェル）２１を備える。シェル２１は、その柱面の内側に向かう第１の凸部及びその柱面の外側に向かう第２の凸部を含む少なくとも１つのバネ（可撓部分）２２，２３を有する。第１及び第２の凸部はシェル２１の柱面に垂直な方向に移動可能である。シェル２１は、シェル１１の柱面の外側とシェル２１の柱面の内側が互いに対向するようにシェル１１を収容可能である。プラグ１０は、シェル１１の柱面及びシェル２１の柱面が延在する方向（Ｙ方向）でレセプタクル２０に挿抜される。プラグ１０がレセプタクル２０に挿入されたとき、バネ２２，２３の第１の凸部は嵌合部にそれぞれ嵌合する。第１の凸部がシェル１１の柱面の嵌合部以外の部分に対向しているとき、第２の凸部はシェル２１の柱面の外側に突出する。
【００２４】
プラグ１０はＵＳＢ標準Ａコネクタのプラグであるので、シェル１１は矩形断面形状を有し、シェル１１の１つの面（＋Ｚ面）に２つの孔部１２を有し、シェル１１の反対側の面（−Ｚ面）に２つの凹部１３を有する。レセプタクル２０はＵＳＢ標準Ａコネクタのレセプタクルであるので、シェル２１は矩形断面形状を有し、シェル２１の１つの面（＋Ｚ面）に２つのバネ２２が設けられ、シェル２１の反対側の面（−Ｚ面）に２つのバネ２３が設けられる。レセプタクル２０はＵＳＢ標準Ａコネクタのレセプタクルであるので、バネ２２，２３は、レセプタクル２０の奥側に固定端を有し、入口側に自由端を有する片持ち形状になるように、シェル２１の一部を折り曲げ加工することで形成される。
【００２５】
図１のレセプタクル２０には、以下のように構成されたロック装置が追加される。
【００２６】
ロック装置は、駆動装置２４、クランク板２５、連結ロッド２６、ロック機構２７、位置検出装置２８、及び制御回路３０を備える。
【００２７】
駆動装置２４は、モータを含み、制御回路３０の制御下でクランク板２５を回転させる。連結ロッド２６は、クランク板２５とロック機構２７とを連結する。ロック機構２７は、シェル２１の柱面を外側から包囲し、シェル２１の柱面が延在する方向に移動可能であるように構成される。ロック機構２７が図３の位置にあるとき、ロック装置は解錠状態であり、ロック機構２７が図４及び図５の位置にあるとき、ロック装置は施錠状態である。ロック機構２７の内側がバネ２２，２３の第２の凸部に対向しているとき（図４及び図５）、ロック機構２７は、第２の凸部がシェル２１の柱面の外側に突出することを阻止する。このとき、プラグ１０がレセプタクル２０に挿入されていれば（図５）、バネ２２，２３の変形が阻止されるので、プラグ１０はレセプタクル２０から抜けないようにロックされる。駆動装置２４は、クランク板２５及び連結ロッド２６を介して、解錠位置（図３）と施錠位置（図４及び図５）との間でロック機構２７を移動させる。
【００２８】
位置検出装置２８は、クランク板２５の回転位置（従ってロック機構２７の位置）を検出するための２組の光源及び光センサを有する。クランク板２５は孔部２９ａ〜２９ｃを有する。位置検出装置２８及び孔部２９ａ〜２９ｃは、クランク板２５上において、連結ロッド２６がクランク板２５に連結された位置より外側に設けられる。孔部２９ａ及び２９ｂはクランク板２５の中心から互いに等距離にあり、孔部２９ｃは、クランク板２５の中心から、孔部２９ａ及び２９ｂとは異なる距離にある。位置検出装置２８は、各光源から発生して孔部２９ａ〜２９ｃを通過した光を各光センサにより検出することで、クランク板２５の回転位置を検出する。位置検出装置２８の第１の光源及び第１の光センサと、孔部２９ａ及び２９ｂとは、ロック機構２７が解錠位置又は施錠位置にあるとき、第１の光源から発生して孔部２９ａ又は２９ｂを通過した光を第１の光センサが検出するように配置される。位置検出装置２８の第２の光源及び第２の光センサと、孔部２９ｃとは、ロック機構２７が解錠位置にあるとき、第２の光源から発生して孔部２９ｃを通過した光を第２の光センサが検出するように配置される。
【００２９】
孔部２９ａ及び２９ｂはクランク板２５の中心に対して対称に設けられてもよい。孔部２９ｃは孔部２９ａ及び２９ｂを通る直線上に設けられてもよい。
【００３０】
位置検出装置２８の２つの光源は、同時に点灯され、同時に消灯されてもよい。孔部２９ｂ及び２９ｃが互いに近接している場合には、２つの光源に代えて１つの光源のみを用いてもよい。
【００３１】
制御回路３０は、外部回路の制御下で、位置検出装置２８によって検出されたロック機構２７の位置に基づいて駆動装置２４を制御する。制御回路３０は、端子Ｖｃｃ、ＧＮＤ、Ｌｉｎ、ＵＬｉｎ、Ｌｏｕｔ、ＰＯＳ１、ＰＯＳ２、及びＬＥＤを備える。端子Ｖｃｃには電源電圧が印加され、端子ＧＮＤは接地される。端子Ｌｉｎには外部回路から施錠信号が入力され、端子ＵＬｉｎには外部回路から解錠信号が入力される。制御回路３０は、端子Ｌｉｎに施錠信号が入力されたとき図６の施錠処理を実行し、端子ＵＬｉｎに解錠信号が入力されたとき図７の解錠処理を実行し、端子Ｌｏｕｔから駆動装置２４を制御する制御信号を出力する。端子ＰＯＳ１には位置検出装置２８から第１の光センサの検出結果が入力され、端子ＰＯＳ２には位置検出装置２８から第２の光センサの検出結果が入力される。端子ＬＥＤからは、位置検出装置２８の光源を制御する制御信号が出力される。
【００３２】
次に、図６及び図７を参照して、制御回路３０によって実行される施錠処理及び解錠処理について説明する。
【００３３】
図６は、図１の制御回路３０によって実行される施錠処理を示すフローチャートである。初期状態において、ロック機構２７は解錠位置において停止している。制御回路３０の端子Ｌｉｎに施錠信号が入力されると、ステップＳ１において、制御回路３０は、位置検出装置２８の光源をオンする。また、位置検出装置２８の光源をオンした後に、光源の素子の特性に合わせて、任意の時間にわたって処理を停止してもよい。ステップＳ２において、制御回路３０は、第１の光源から発生して孔部２９ａ又は２９ｂを通過した光を第１の光センサが検出したか否かを決定し、ＹＥＳのときはステップＳＳに進み、ＮＯのときはステップＳ４に進む。ステップＳ３において、制御回路３０は、第２の光源から発生して孔部２９ｃを通過した光を第２の光センサが検出したか否かを決定し、ＹＥＳのときはステップＳ５に進み、ＮＯのときはステップＳ４に進む。ステップＳ４において、制御回路３０は、駆動装置２４のモータを動作させ、ステップＳ２に戻る。ロック機構２７が施錠位置に到達するまで、制御回路３０はステップＳ２〜Ｓ４を繰り返す。ステップＳ５において、制御回路３０は、駆動装置２４のモータを停止する。ステップＳ６において、制御回路３０は、位置検出装置２８の光源をオフする。
【００３４】
図７は、図１の制御回路３０によって実行される解錠処理を示すフローチャートである。初期状態において、ロック機構２７は施錠位置において停止している。制御回路３０の端子ＵＬｉｎに解錠信号が入力されると、ステップＳ１１において、制御回路３０は、位置検出装置２８の光源をオンする。また、位置検出装置２８の光源をオンした後に、光源の素子の特性に合わせて、任意の時間にわたって処理を停止してもよい。ステップＳ１２において、制御回路３０は、第１の光源から発生して孔部２９ａ又は２９ｂを通過した光を第１の光センサが検出したか否かを決定し、ＹＥＳのときはステップＳ１３に進み、ＮＯのときはステップＳ１４に進む。ステップＳ１３において、制御回路３０は、第２の光源から発生して孔部２９ｃを通過した光を第２の光センサが検出したか否かを決定し、ＹＥＳのときはステップＳ１４に進み、ＮＯのときはステップＳ１５に進む。ステップＳ１４において、制御回路３０は、駆動装置２４を動作させ、ステップＳ１２に戻る。ロック機構２７が解錠位置に到達するまで、制御回路３０はステップＳ１２〜Ｓ１４を繰り返す。ステップＳ１５において、制御回路３０は、駆動装置２４を停止する。ステップＳ１６において、制御回路３０は、位置検出装置２８の光源をオフする。
【００３５】
実施形態のロック装置によれば、ＵＳＢ標準Ａコネクタの汎用のレセプタクルに、プラグの取り外しを制限するためのロック機構が追加される。ロック装置は、レセプタクルの加工を必要とせずに、外付けの装置として追加することができる。ロック装置は、レセプタクルのバネがプラグの挿抜途中にプラグのシェルにより押し上げられないようにすることで、プラグがレセプタクルから不用意に抜かれることを阻止する。
【００３６】
実施形態のロック装置によれば、ＵＳＢデバイスの不用意な抜き取りによるデータ破損を防止し、ＵＳＢ機器の損壊を防止することができる。実施形態のロック装置によれば、ＵＳＢ標準Ａコネクタの汎用のレセプタクル製品に特別な加工を行うことなく、ＵＳＢデバイスの取り外しを制限するためのロックを提供することができる。
【００３７】
実施形態のロック装置によれば、ロック機構の機械的な疲労による消耗が発生しない。
【００３８】
実施形態のロック装置によれば、制御回路に施錠信号又は解錠信号が入力された後は、施錠状態と解錠状態との間の遷移中にのみロック機構を駆動することが必要とされるので、施錠状態又は解錠状態を維持するための電力は不要である。
【００３９】
実施形態のロック装置によれば、ＵＳＢ機器を使用するホストコンピュータの判断により、又は、ＵＳＢ機器を使用するホストコンピュータを使用するオペレータの操作により、施錠信号又は解錠信号が発生されて制御回路に入力される。従って、コネクタの物理的なカバーのネジをはずしたり、鍵を解錠したりすることは不要である。
【００４０】
実施形態のロック装置によれば、オペレータの操作によってコネクタのロックを解除する際に、ＵＳＢ機器を使用するホストコンピュータの判断により、安全にＵＳＢ機器を取り外せるようになるまでロック状態を維持してもよい。
【００４１】
実施形態のロック装置は、ＵＳＢ１．１、ＵＳＢ２．０、及びＵＳＢ３．１の任意の標準Ａコネクタのレセプタクルに適用可能である。
【００４２】
実施形態のロック装置は、必要な変更を行うことで、ＵＳＢ以外の他のインターフェースのコネクタにも適用可能である。この場合、プラグのシェル及びレセプタクルのシェルは、矩形断面形状に限らず、円筒などの他の断面形状を有してもよい。
【００４３】
図３〜図５では、ロック機構２７が解錠位置にあるとき、孔部２９ａを通過した光を検出し、ロック機構２７が施錠位置にあるとき、孔部２９ｂ及び２９ｃを通過した光を検出するように説明した。これに限らず、ロック機構２７が解錠位置にあるとき、クランク板２５上の１つの孔部を通過した光を１つの光センサにより検出し、ロック機構２７が施錠位置にあるとき、クランク板２５上の２つの孔部を通過した光を２つの光センサにより検出してもよい。
【００４４】
図１及び図２では、制御回路３０に外部回路から施錠信号及び解錠信号が入力されるように説明した。これに限らず、制御回路３０には外部回路から「施錠／解錠指示信号」及び「指示有効化信号」が入力されてもよく、シリアル又はパラレル通信線などを介して入力される信号など、他の入力方式で施錠及び解錠を指示してもよい。
【００４５】
レセプタクルと、説明した実施形態のロック装置とを備えたコネクタを提供してもよい。また、そのようなコネクタと、コネクタに接続されたインターフェース回路とを備えた電子機器（パーソナルコンピュータ、組み込み機器、ＵＳＢハブ）を提供してもよい。また、レセプタクルと、説明した実施形態のロック装置とを備えたケーブル（延長ケーブル）を提供してもよい。
【００４６】
本発明の態様に係るコネクタのロック装置、コネクタ、及び電子機器は、以下の構成を備えたことを特徴とする。
【００４７】
本発明の第１の態様に係るコネクタのロック装置は、
プラグ及びレセプタクルを含むコネクタのロック装置において、
上記プラグは、所定方向に延在する第１の柱面を有する第１のシェルを備え、上記第１のシェルは上記第１の柱面上に少なくとも１つの嵌合部を有し、上記少なくとも１つの嵌合部は孔部及び／又は凹部を含み、
上記レセプタクルは、所定方向に延在する第２の柱面を有する第２のシェルを備え、上記第２のシェルは、上記第２の柱面の内側に向かう第１の凸部及び上記第２の柱面の外側に向かう第２の凸部を含む少なくとも１つの可撓部分を有し、上記第１及び第２の凸部は上記第２の柱面に垂直な方向に移動可能であり、
上記第２のシェルは、上記第１の柱面の外側と上記第２の柱面の内側が互いに対向するように上記第１のシェルを収容可能であり、上記プラグは、上記第１及び第２の柱面が延在する方向で上記レセプタクルに挿抜され、
上記プラグが上記レセプタクルに挿入されたとき、上記少なくとも１つの可撓部分の上記第１の凸部は上記少なくとも１つの嵌合部にそれぞれ嵌合し、
上記第１の凸部が上記第１の柱面の上記少なくとも１つの嵌合部以外の部分に対向しているとき、上記第２の凸部は上記第２の柱面の外側に突出し、
上記コネクタのロック装置は、上記第２の柱面を外側から包囲し、上記第２の柱面が延在する方向に移動可能なロック機構を備え、上記ロック機構は、当該ロック機構の内側が上記少なくとも１つの可撓部分の上記第２の凸部に対向しているとき、上記第２の凸部が上記第２の柱面の外側に突出することを阻止することを特徴とする。
【００４８】
本発明の第２の態様に係るコネクタのロック装置は、第１の態様に係るコネクタのロック装置において、
上記コネクタのロック装置は、
上記第２の柱面が延在する方向に上記ロック機構を移動させる駆動装置と、
上記駆動装置を制御する制御回路とを備えることを特徴とする。
【００４９】
本発明の第３の態様に係るコネクタのロック装置は、第１又は第２の態様に係るコネクタのロック装置において、
上記コネクタはＵＳＢ標準Ａコネクタであることを特徴とする。
【００５０】
本発明の第４の態様に係るコネクタは、
上記レセプタクルと、
第１〜第３のうちの１つの態様に係るコネクタのロック装置とを備えることを特徴とする。
【００５１】
本発明の第５の態様に係る電子機器は、
第４の態様に係るコネクタと、
上記コネクタに接続されたインターフェース回路とを備えることを特徴とする。
【符号の説明】
【００５２】
１０…プラグ、
１１…シェル、
１２…孔部、
１３…凹部、
２０…レセプタクル、
２１…シェル、
２２，２３…バネ、
２４…駆動装置、
２５…クランク板、
２６…連結ロッド、
２７…ロック機構、
２８…位置検出装置、
２９ａ〜２９ｃ…孔部、
３０…制御回路。
【先行技術文献】
【特許文献】
【００５３】
【特許文献１】特開２００４−０８７４６２号公報
【特許文献２】特開２０１３−０１２３１１号公報
【特許文献３】特開２００４−３３５２７５号公報
【特許文献４】特開２００６−１３３９２０号公報
【特許文献５】特許第５０２４５３８号公報
【特許文献６】特開２００９−２８９６３０号公報
【特許文献７】特開２０１０−０２１０７０号公報
【特許文献８】特開２００７−２３４４０４号公報
【特許文献９】特開２００９−１７０３９１号公報
【特許文献１０】特開２００１−１３５４１３号公報
【特許文献１１】特開２００６−１２７９０５号公報
【特許文献１２】特開２００４−３５６０７９号公報
【特許文献１３】特許第５０３９４８０号公報
【特許文献１４】特開２００１−２０９４６０号公報
【特許文献１５】特許第４８４２６４３号公報
【特許文献１６】特許第４７２２８１５号公報
【特許文献１７】特開２００３−２４３０９３号公報
【特許文献１８】特開２００４−０２２４６９号公報
【特許文献１９】特許第５４９１２８３号公報
【特許文献２０】特開２０１４−１３０８３６号公報
【特許文献２１】特開２０００−２８６０１３号公報
【特許文献２２】特許第４８０３６８８号公報
【図１】
2016134305.tif 000003
【図２】
2016134305.tif 000004
【図３】
2016134305.tif 000005
【図４】
2016134305.tif 000006
【図５】
2016134305.tif 000007
【図６】
2016134305.tif 000008
【図７】
2016134305.tif 000009